(57)【要約】【課題】タクシーの営業管理等に用いる営業時系列データの解析結果を営業所以外の箇所でも容易に得ること。【解決手段】タクシーメータが収集したタクシー車両１の営業時系列データを、例えばタクシー車両１の運行終了時に運行情報収集装置１０の通信モジュール１０３により無線公衆電話回線網５を介してインターネット７上の仮想サーバ９１にアップロードする。そして、アプリケーションプログラムを起動した携帯情報端末６から無線公衆電話回線網５を介して仮想サーバ９１に要求があると、要求された項目の解析結果のデータを、仮想サーバ９１がインターネット７から無線公衆電話回線網５を介して携帯情報端末６にダウンロードする。このダウンロードにより携帯情報端末６では、営業時系列データを仮想サーバ９１が解析することで得られるタクシー車両１の乗員に関する各種のチャートや営業日報、売上日報等を表示出力することができる。【選択図】図１
2013171566.tif 000002
【特許請求の範囲】
【請求項１】
タクシーメータで収集されたタクシー車両の運行状態を示す営業時系列データを解析可能に管理する方法であって、
所定条件の成立時に、インターネット上でクラウドコンピューティングサービスを提供するドメインのアドレスにアクセスし、該アドレスの仮想サーバに、前記タクシー車両から前記営業時系列データを無線公衆電話回線網を経由してアップロードするアップロードステップと、
前記仮想サーバ上で、前記タクシー車両からアップロードされた前記営業時系列データをデータベース化するデータベース化ステップと、
前記ドメインのアドレスにアクセスしたインターネット端末からの要求に呼応して、前記仮想サーバ上で、前記データベース化した営業時系列データ中の前記要求に対応する項目の解析を行い、解析結果を要求元の前記インターネット端末にダウンロードする解析結果ダウンロードステップと、
前記要求元のインターネット端末において、前記仮想サーバからダウンロードされた解析結果を表示出力する出力ステップと、
を含むことを特徴とするタクシーの営業時系列データ管理方法。
【請求項２】
前記インターネット端末として、無線公衆電話回線網に接続可能な携帯情報端末を用い、前記解析結果ダウンロードステップにおいて、前記携帯情報端末へのダウンロードを無線公衆電話回線網を経由して行うようにしたことを特徴とする請求項１記載のタクシーの営業時系列データ管理方法。
【請求項３】
前記携帯情報端末からの要求に呼応して、前記仮想サーバからダウンロードされた解析結果の表示出力に必要なアプリケーションプログラムを、前記仮想サーバから要求元の前記携帯情報端末に無線公衆電話回線網を経由してダウンロードするプログラムダウンロードステップをさらに含むことを特徴とする請求項２記載のタクシーの営業時系列データ管理方法。
【請求項４】
タクシー車両の運行状態を示す営業時系列データをタクシーメータで収集するシステムであって、
所定条件の成立時に、インターネット上でクラウドコンピューティングサービスを提供するドメインのアドレスにアクセスし、前記タクシーメータで収集した営業時系列データを無線公衆電話回線網を経由してアップロードするアップロード手段を備える、
ことを特徴とするタクシーメータシステム。
【請求項５】
タクシーメータで収集されたタクシー車両の運行状態を示す営業時系列データを解析可能に管理するタクシー運行管理システムであって、
インターネット上でクラウドコンピューティングサービスを提供するドメインの仮想サーバに設けられ、所定条件が成立すると前記ドメインのアドレスにアクセスした前記タクシー車両側から無線公衆電話回線網を経由してアップロードされる、前記タクシーメータで収集した営業時系列データをデータベース化するデータベース化手段と、
前記ドメインのアドレスにアクセスしたインターネット端末からの要求に呼応して、前記データベース化した営業時系列データ中の前記要求に対応する項目の解析を行う解析手段と、
前記解析手段の解析結果を要求元の前記インターネット端末にダウンロードする解析結果ダウンロード手段と、
を備えることを特徴とするタクシー運行管理システム。
【請求項６】
前記インターネット端末は、無線公衆電話回線網に接続可能な携帯情報端末であり、前記解析結果ダウンロード手段による前記解析結果のダウンロードは、無線公衆電話回線網を経由して行われることを特徴とする請求項５記載のタクシー運行管理システム。
【請求項７】
前記携帯情報端末からの要求に呼応して、前記解析結果ダウンロード手段がダウンロードした解析結果の前記携帯情報端末での表示出力に必要なアプリケーションプログラムを、前記要求元の携帯情報端末に無線公衆電話回線網を経由してダウンロードするプログラムダウンロード手段をさらに備えることを特徴とする請求項６記載のタクシー運行管理システム。
【発明の詳細な説明】
【技術分野】
【０００１】
本発明は、タクシーメータで収集されたタクシー車両の運行状態を示す営業時系列データを解析可能に管理するシステムに関する。
【背景技術】
【０００２】
タクシーの運行状態や営業毎の売り上げデータ等の営業時系列データはタクシーメータによって収集される。収集された営業時系列データは、タクシーが帰庫した際に営業所のパーソナルコンピュータに取り込まれる。パーソナルコンピュータには、取り込んだ営業時系列データをデータベース化すると共に解析するソフトウェアのプログラムがインストールされており、このプログラムを実行することで、売上管理や労務管理等に有用な解析結果を、ディスプレイの表示画面やプリンタによる印刷物として得ることができる（例えば、特許文献１，２）。
【先行技術文献】
【特許文献】
【０００３】
【特許文献１】特開平６−２０３２３４号公報
【特許文献２】特開２００８−１２９７９０号公報
【発明の概要】
【発明が解決しようとする課題】
【０００４】
上述したような売上管理や労務管理等は、営業時系列データを営業所のパーソナルコンピュータに取り込むことを前提としているので、そのパーソナルコンピュータでなければ解析結果を得ることができない。営業所以外で解析結果を得るには、同じプログラムをインストールしたパーソナルコンピュータを設置し、かつ、タクシーメータから営業時系列データを取り込まなければならない。そのような運用は非現実的であり、結局、営業所以外の場所で営業時系列データの解析結果を得るのは極めて困難である。
【０００５】
本発明は前記事情に鑑みなされたもので、本発明の目的は、タクシーの営業管理等に用いる営業時系列データの解析結果を営業所以外の箇所でも容易に得ることができるタクシーの営業時系列データ管理方法と、この方法を実施する際に用いて好適なタクシーメータシステム及びタクシー運行管理システムとを提供することにある。
【課題を解決するための手段】
【０００６】
上記目的を達成するため、請求項１に記載した本発明のタクシーの営業時系列データ管理方法は、
タクシーメータで収集されたタクシー車両の運行状態を示す営業時系列データを解析可能に管理する方法であって、
所定条件の成立時に、インターネット上でクラウドコンピューティングサービスを提供するドメインのアドレスにアクセスし、該アドレスの仮想サーバに、前記タクシー車両から前記営業時系列データを無線公衆電話回線網を経由してアップロードするアップロードステップと、
前記仮想サーバ上で、前記タクシー車両からアップロードされた前記営業時系列データをデータベース化するデータベース化ステップと、
前記ドメインのアドレスにアクセスしたインターネット端末からの要求に呼応して、前記仮想サーバ上で、前記データベース化した営業時系列データ中の前記要求に対応する項目の解析を行い、解析結果を要求元の前記インターネット端末にダウンロードする解析結果ダウンロードステップと、
前記要求元のインターネット端末において、前記仮想サーバからダウンロードされた解析結果を表示出力する出力ステップと、
を含むことを特徴とする。
【０００７】
なお、請求項１に記載した本発明のタクシーの営業時系列データ管理方法を実施する際に、請求項４に記載した本発明のタクシーメータシステムと、請求項５に記載した本発明のタクシー運行管理システムとを用いることができる。
【０００８】
そして、請求項１に記載した本発明のタクシーの営業時系列データ管理方法によれば、所定条件が成立するとタクシー車両から無線公衆電話回線網を介して、タクシーメータが収集したタクシー車両の運行状態を示す営業時系列データが、インターネット上のクラウドコンピューティングサービスを提供する仮想サーバにアップロードされる。
【０００９】
インターネット上の仮想サーバでは、アップロードされたタクシー車両の営業時系列データがデータベース化され、また、インターネット端末からの要求があると、その要求に対応する項目の解析が、データベース化された営業時系列データを用いて行われる。解析結果は要求元のインターネット端末にダウンロードされる。
【００１０】
したがって、タクシー車両の営業所のような特定の場所でなくても、インターネット端末がある場所ならば、タクシーの営業管理等に用いる営業時系列データの解析結果を容易に得ることができる。
【００１１】
また、請求項２に記載した本発明のタクシーの営業時系列データ管理方法は、請求項１に記載した本発明のタクシーの営業時系列データ管理方法において、前記インターネット端末として、無線公衆電話回線網に接続可能な携帯情報端末を用い、前記解析結果ダウンロードステップにおいて、前記携帯情報端末へのダウンロードを無線公衆電話回線網を経由して行うようにしたことを特徴とする。
【００１２】
なお、請求項２に記載した本発明のタクシーの営業時系列データ管理方法を実施する際には、請求項６に記載した本発明のタクシー運行管理システムを用いることができる。
【００１３】
そして、請求項２に記載した本発明のタクシーの営業時系列データ管理方法によれば、請求項１に記載した本発明のタクシーの営業時系列データ管理方法において、インターネット端末が無線公衆電話回線網に接続可能な携帯情報端末であっても、仮想サーバからの解析結果を無線公衆電話回線網を介してダウンロードすることができる。したがって、固定のインターネット端末を設置した箇所でなくても、任意の場所で営業時系列データの解析結果を得ることができる。
【００１４】
さらに、請求項３に記載した本発明のタクシーの営業時系列データ管理方法は、請求項１又は２に記載した本発明のタクシーの営業時系列データ管理方法において、前記携帯情報端末からの要求に呼応して、前記仮想サーバからダウンロードされた解析結果の表示出力に必要なアプリケーションプログラムを、前記仮想サーバから要求元の前記携帯情報端末に無線公衆電話回線網を経由してダウンロードするプログラムダウンロードステップをさらに含むことを特徴とする。
【００１５】
なお、請求項３に記載した本発明のタクシーの営業時系列データ管理方法を実施する際には、請求項７に記載した本発明のタクシー運行管理システムを用いることができる。
【００１６】
そして、請求項３に記載した本発明のタクシーの営業時系列データ管理方法によれば、請求項１又は２に記載した本発明のタクシーの営業時系列データ管理方法において、携帯情報端末における解析結果の表示出力に必要なアプリケーションプログラムが、携帯情報端末にインストールされていない場合は、無線公衆電話回線網を介して仮想サーバからダウンロードして携帯情報端末にインストールさせることができる。したがって、専用の携帯情報端末でなくても、任意の場所で営業時系列データの解析結果を得ることができる。
【発明の効果】
【００１７】
本発明によれば、タクシーの営業管理等に用いる営業時系列データの解析結果を営業所以外の箇所でも容易に得ることができる。
【図面の簡単な説明】
【００１８】
【図１】本発明の一実施形態に係るタクシーメータシステム及びタクシー運行管理システムを含めて運用されるタクシーの営業時系列データ管理システムの概略構成を示すブロック図である。
【図２】図１に示す運行情報収集装置の制御部のＣＰＵがＲＯＭのプログラムにしたがって実行するタクシーメータからの営業時系列データのアップロード処理の概要を示すフローチャートである。
【図３】図１に示すインターネット上のアプリケーションサービスプロバイダの仮想サーバが制御プログラムにしたがって実行する営業時系列データのデータベース化処理の概要を示すフローチャートである。
【図４】図１に示すインターネット上のアプリケーションサービスプロバイダの仮想サーバが制御プログラムにしたがって実行するアプリケーションプログラムのダウンロード処理の概要を示すフローチャートである。
【図５】図１に示すインターネット上のアプリケーションサービスプロバイダの仮想サーバと携帯情報端末との間で実行される解析結果のダウンロード処理の手順を概略的に示すフローチャートである。
【図６】図１に示すインターネット上のアプリケーションサービスプロバイダの仮想サーバと携帯情報端末との間で実行される解析結果のダウンロード処理の手順を概略的に示すフローチャートである。
【図７】（ａ）〜（ｃ）は図１の携帯情報端末のディスプレイに表示出力される画面を示す説明図である。
【図８】図１の携帯情報端末のディスプレイに表示出力される画面を示す説明図である。
【発明を実施するための形態】
【００１９】
以下、本発明の実施形態を、図面を参照しながら説明する。
【００２０】
図１は本発明の一実施形態に係るタクシーメータシステム及びタクシー運行管理システムを含めて運用されるタクシーの営業時系列データ管理システムの概略構成を示すブロック図である。図１に示すタクシーの営業時系列データ管理システムは、タクシー車両１に搭載された運行情報収集装置１０と、インターネット７上のアプリケーションサービスプロバイダ（以下、「ＡＳＰ」と略記する。請求項中のタクシー運行管理システムに相当）９の仮想サーバ９１との間で、無線公衆電話回線網５やインターネット７を用いた通信を行うように構成されている。
【００２１】
また、図１のシステムは、ＡＳＰ９の仮想サーバ９１と携帯情報端末６（例えば、スマートフォンやタブレット端末、ノート型パーソナルコンピュータ等。請求項中のインターネット端末に相当）との間でも、無線公衆電話回線網５やインターネット７を用いた通信を行うように構成されている。
【００２２】
さらに、図１のシステムは、仮想サーバ９１と、タクシー車両１の運行状態を管理する遠隔地の営業所等の車両管理者３（請求項中の遠隔地に相当）に設置したパーソナルコンピュータ（以下、「パソコン」と略記する。請求項中のインターネット端末に相当）３１との間で、インターネット７を用いた通信を行うように構成されている。
【００２３】
運行情報収集装置１０は、例えばマイクロコンピュータで構成される制御部１０１の制御によって動作する。制御部１０１は、ＣＰＵ、ＲＡＭ、ＲＯＭ（いずれも図示せず）を内蔵している。
【００２４】
制御部１０１には、無線公衆電話回線網５による通信を行うための通信モジュール１０３と、運行情報収集装置１０を搭載したタクシー車両１の現在位置を検出するためのＧＰＳ（全地球測位システム）モジュール１０５と、動作状態等を表示する液晶ディスプレイやＬＥＤ等の表示部１０７と、各種データやプログラムを記憶させるためのフラッシュメモリ等の不揮発性メモリ１０９とが接続されている。通信モジュール１０３とＧＰＳモジュール１０５には、運行情報収集装置１０の外部に設けたそれぞれのアンテナ（通信アンテナ、ＧＰＳアンテナ）１１，１２が接続されている。
【００２５】
また、制御部１０１には、各種のインタフェース（Ｉ／Ｆ）１１１〜１１９が接続されている。外部Ｉ／Ｆ１１１には、タクシー車両１に搭載したＥＴＣ（Ｅｌｅｃｔｒｏｎｉｃ  Ｔｏｌｌ  Ｃｏｌｌｅｃｔｉｏｎ）車載器１３が接続されている。ＥＴＣ車載器１３からは、タクシー車両１の高速道路（有料自動車道路）に対する入出のデータが入力される。速度Ｉ／Ｆ１１３には、タクシー車両１の走行速度を検出する速度センサ１４が接続され、車速に関するデータが入力される。回転Ｉ／Ｆ１１５にはエンジン回転センサ１５が接続され、タクシー車両１のエンジン回転数に関するデータが入力される。
【００２６】
デジタル５ｃｈ入力Ｉ／Ｆ１１７には、タクシー車両１の各種センサ１６が接続される。各種センサ１６には、例えば、タクシー車両１のイグニッションスイッチ（ＩＧＮ  ＳＷ）等が含まれる。各種センサ１６からは、それぞれのスイッチやセンサによる検出信号（センサ信号、例えば、イグニッションスイッチのオンオフ状態の検出信号等）が入力される。
【００２７】
外部Ｉ／Ｆ１１９には、外部機器１７や（必要に応じて）加速度センサ１８が接続されている。外部機器１７は、例えば、タクシー車両１に搭載したタクシーメータが含まれる。タクシーメータは、タクシー車両１の運行状況（出庫、実車、空車、迎車、割増、支払等のタリフ状態）に変化が生じる毎に、それらの情報を収集する。また、実車等により営業収入（現金、チケット、クレジット等）が発生した場合は、その方法も収集する。これらの収集した情報は、タクシー車両１の運行状態を示す営業時系列データとして取り扱われる。したがって、タクシーメータからは、収集した営業時系列データの信号が入力される。
【００２８】
加速度センサ１８は、タクシー車両１の加速度を検出する。タクシー車両１の加速度は、速度センサ１４からの車速データの時系列変化を制御部１０１で算出することでも得ることができる。したがって、この算出処理が制御部１０１の処理の負担になるような場合は、加速度センサ１８を外部Ｉ／Ｆ１１９に接続して使用するとよい。加速度センサ１８からは、タクシー車両１の加速度に関するデータが入力される。
【００２９】
上述した制御部１０１と通信モジュール１０３は、運行情報収集装置１０内に設けた電源部１２１からの給電を受けて動作する。電源部１２１は所謂定電圧電源であり、制御部１０１や通信モジュール１０３の動作に適した電圧の電源を供給する。電源部１２１は、タクシー車両１のバッテリ（車両電源）Ｂから電力供給を受けて定電圧の電力を制御部１０１や通信モジュール１０３に供給する。ＥＴＣ車載器１３は、別ルートでバッテリＢからの電力供給を受けて動作する。
【００３０】
上述した通信モジュール１０３は、本実施形態では、無線公衆電話回線網５（携帯電話回線網）を用いたパケット通信により、通信アンテナ１１を介して、インターネット７上のＡＳＰ９の仮想サーバ９１に、少なくとも、タクシーメータからの営業時系列データを送信（アップロード）する。通信モジュール１０３は受信機能も有しているが、本実施形態では専ら送信機能を主に使用する。
【００３１】
無線公衆電話回線網５には、接続センタ５１を介して携帯電話回線事業者８のサーバ８１やデータストレージとしてのデータベース８３が接続されている。データベース８３は、無線公衆電話回線網５側とインターネット７側との通信に必要なアドレスデータ等が蓄積されており、このアドレスデータ等を参照してサーバ８１は、無線公衆電話回線網５側とインターネット７側との通信を制御する。
【００３２】
携帯電話回線事業者８のサーバ８１は、インターネットサービスプロバイダ（以下、「ＩＳＰ」と略記する。）７１を介してインターネット７に接続されている。このインターネット７には、ＩＳＰ７３を介して、ＡＳＰ９の仮想サーバ９１が接続されている。また、インターネット７には、ＩＳＰ７５を介して、車両管理者３側のパソコン３１が不図示のモデムやルータ等を介して接続されている。
【００３３】
ＡＳＰ９は、インターネット７上でクラウドコンピューティングサービスを提供する事業者であり、インターネット７上のドメインとアドレスを有している。本実施形態では、ＡＳＰ９は、仮想サーバ９１によってクラウドコンピューティングのアプリケーションの部分を提供する。具体的には、ＡＳＰ９は、ＳａａＳ（Ｓｏｆｔｗａｒｅ  ａｓ  ａ  Ｓｅｒｖｉｃｅ）によって、タクシー車両１の運行管理システムサービスを提供する。
【００３４】
そのために、ＡＳＰ９の仮想サーバ９１は、携帯電話回線事業者８のサーバ８１が無線公衆電話回線網５を介して運行情報収集装置１０から受信したタクシーメータからの営業時系列データ（パケット通信データ）を、インターネット７を介して受け取る。そして、仮想サーバ９１は、受け取った営業時系列データを、解析した上で各種のチャートや営業日報、売上日報に加工しやすい形式で、仮想サーバ９１中の物理的なデータサーバにおいてデータベース化する。
【００３５】
また、仮想サーバ９１は、携帯電話回線事業者８のサーバ８１が無線公衆電話回線網５を介して携帯情報端末６から受信した要求を、インターネット７を介して受信する。要求を受信すると、仮想サーバ９１はこれに呼応して、データベース化した営業時系列データを用いた解析結果のデータを（パケット通信データ）、要求元の携帯情報端末６にダウンロードする。ダウンロードされる解析結果のデータは、携帯情報端末６からの要求に応じた項目の解析結果のデータとなる。
【００３６】
さらに、仮想サーバ９１は、携帯情報端末６からの要求に応じて、解析結果を携帯情報端末６で表示出力するのに必要なアプリケーションプログラムのデータを（パケット通信データ）、要求元の携帯情報端末６にダウンロードすることもできる。したがって、仮想サーバ９１が行うこのダウンロード動作は、請求項中のプログラムダウンロードステップとプログラムダウンロード手段に対応する動作と言うことになる。
【００３７】
なお、仮想サーバ９１から要求元の携帯情報端末６へのデータのダウンロードは、インターネット７や携帯電話回線事業者８のサーバ８１、無線公衆電話回線網５を介して行われる。
【００３８】
さらに、仮想サーバ９１は、インターネット７上の専用サイト（図示せず）にログインした車両管理者３側のパソコン３１から、同サイトを通じて閲覧要求を受信する。要求を受信すると、仮想サーバ９１はこれに呼応して、データベース化した営業時系列データを用いた解析結果を、上述した専用サイト上に掲載する。パソコン３１は、専用サイト上で解析結果を閲覧し、必要に応じて解析結果のデータを仮想サーバ９１からダウンロードさせたり、不図示のプリンタからプリントアウトさせることができる。したがって、仮想サーバ９１が行うこの解析及びその結果のダウンロード動作は、請求項中の解析結果ダウンロードステップと、解析手段及び解析結果ダウンロード手段に対応する動作と言うことになる。
【００３９】
次に、運行情報収集装置１０の制御部１０１のＣＰＵがＲＯＭに記憶されたプログラムにしたがって実行する、タクシーメータからの営業時系列データのアップロード処理について、図２のフローチャートを参照して説明する。制御部１０１は、バッテリＢからの電力供給を受けている間、図２のフローチャートに示す処理を一定周期毎に繰り返して実行する。
【００４０】
まず、制御部１０１は、タクシーメータが収集した営業時系列データのアップロード条件（請求項中の所定条件に相当）が成立したか否かを確認する（ステップＳ１）。営業時系列データのアップロード条件は、例えば、営業時系列データが更新されることで成立するものとしてもよい。あるいは、タクシー車両１の運行が終了したことで成立するものとしてもよい。タクシー車両１の運行が終了したことは、例えば、デジタル５ｃｈ入力Ｉ／Ｆ１１７の入力を通じてタクシー車両１のイグニッションスイッチがオンからオフに切り替わったことを検出することで、認識することができる。
【００４１】
営業時系列データのアップロード条件が成立していない場合は（ステップＳ１でＮＯ）、ステップＳ１をリピートする。成立した場合は（ステップＳ１でＹＥＳ）、制御部１０１は、通信モジュール１０３が無線公衆電話回線網５の通信圏内であるか否かを確認する（ステップＳ３）。通信圏内でない場合は（ステップＳ３でＮＯ）、ステップＳ１にリターンし、通信圏内である場合は（ステップＳ３でＹＥＳ）、制御部１０１は、タクシーメータが収集した営業時系列データを、通信モジュール１０３により、ＡＳＰ９の仮想サーバ９１にアップロードさせた後（ステップＳ５）、一連の処理を終了する。
【００４２】
以上の説明からも明らかなように、本実施形態では、制御部１０１が行う図２のフローチャートにおけるステップＳ１及びステップＳ５の処理が、請求項中のアップロードステップとアップロード手段に対応する処理となっている。
【００４３】
続いて、ＡＳＰ９の仮想サーバ９１が制御プログラムにしたがって実行する、営業時系列データのデータベース化処理について、図３のフローチャートを参照して説明する。仮想サーバ９１は、図３のフローチャートに示す処理を一定周期毎に繰り返して実行する。
【００４４】
まず、仮想サーバ９１は、運行情報収集装置１０からアップロードされたタクシー車両１の営業時系列データが、携帯電話回線事業者８のサーバ８１を通じてインターネット７からアップロードされたか否かを確認する（ステップＳ１１）。営業時系列データがアップロードされていない場合は（ステップＳ１１でＮＯ）、ステップＳ１１をリピートする。アップロードされた場合は（ステップＳ１１でＹＥＳ）、仮想サーバ９１は、アップロードされた営業時系列データを、タクシー車両１の乗員に関する各種のチャートや営業日報、売上日報に加工しやすい形式で、仮想サーバ９１中の物理的なデータサーバにおいてデータベース化した後（ステップＳ１３）、一連の処理を終了する。
【００４５】
以上の説明からも明らかなように、本実施形態では、仮想サーバ９１が行う図３のフローチャートにおけるステップＳ１３の処理が、請求項中のデータベース化ステップとデータベース化手段に対応する処理となっている。
【００４６】
次に、ＡＳＰ９の仮想サーバ９１が制御プログラムにしたがって実行する、携帯情報端末６のアプリケーションプログラムのダウンロード処理について、図４のフローチャートを参照して説明する。仮想サーバ９１は、上述した図３のフローチャートに示す営業時系列データのデータベース化処理と並行して、図４のフローチャートに示す処理を一定周期毎に繰り返して実行する。
【００４７】
まず、仮想サーバ９１は、携帯情報端末６からのアプリケーションプログラムのダウンロード要求を、携帯電話回線事業者８のサーバ８１を通じてインターネット７から受信したか否かを確認する（ステップＳ２１）。このアプリケーションプログラムは、営業時系列データを仮想サーバ９１が解析することで得られるタクシー車両１の乗員に関する各種のチャートや営業日報、売上日報等を、携帯情報端末６で表示出力するのに必要なプログラムである。
【００４８】
アプリケーションプログラムのダウンロード要求を受信していない場合は（ステップＳ２１でＮＯ）、ステップＳ２１をリピートする。受信した場合は（ステップＳ２１でＹＥＳ）、仮想サーバ９１は、アプリケーションプログラムを、インターネット７及び携帯電話回線事業者８のサーバ８１を通じて、無線公衆電話回線網５経由で携帯情報端末６にダウンロードした後（ステップＳ２３）、一連の処理を終了する。
【００４９】
以上の説明からも明らかなように、本実施形態では、仮想サーバ９１が行う図４のフローチャートにおけるステップＳ２３の処理が、請求項中のプログラムダウンロードステップとプログラムダウンロード手段に対応する処理となっている。
【００５０】
続いて、ＡＳＰ９の仮想サーバ９１と携帯情報端末６との間で実行される、仮想サーバ９１による営業時系列データの解析結果の携帯情報端末６に対するダウンロード処理について、図５及び図６のフローチャートを参照して説明する。
【００５１】
まず、図５のフローチャートに示すように、携帯情報端末６が、仮想サーバ９１からダウンロードしておいたアプリケーションプログラムを起動して（ステップＳ３１）、図７（ａ）の説明図に示す起動画面６１をディスプレイ６０に表示させる（ステップＳ３２）。起動画面６１上でＩＤとパスワードがログインボタンのクリックにより入力されたならば（ステップＳ３３）、入力されたＩＤとパスワードのデータを仮想サーバ９１のアドレスに送信（アップロード）する（ステップＳ３４）。
【００５２】
仮想サーバ９１では、無線公衆電話回線網５経由で携帯電話回線事業者８のサーバ８１及びインターネット７を通じて受信した、携帯情報端末６からのＩＤとパスワードを認証判断し（ステップＳ５１）、認証が取れた後、認証処理結果のデータを携帯情報端末６に送信（ダウンロード）する（ステップＳ５２）。
【００５３】
携帯情報端末６では、インターネット７及び携帯電話回線事業者８のサーバ８１を通じて、無線公衆電話回線網５経由で、仮想サーバ９１からダウンロードされた認証処理結果のデータによって、認証処理の適否の結果を確認する（ステップＳ３５）。認証処理が不適である場合は（ステップＳ３５でＮＯ）、入力されたＩＤ及びパスワードが、仮想サーバ９１側で登録されたユーザの内容と一致しない旨を示す不一致エラーをディスプレイ６０に表示させた後（ステップＳ３６）、ステップＳ３２にリターンする。
【００５４】
一方、認証処理が適切である場合は（ステップＳ３５でＹＥＳ）、仮想サーバ９１にログインして、図７（ｂ）の説明図に示す解析結果表示画面６２の基本部分をディスプレイ６０に表示させる（ステップＳ３７）。そして解析結果表示画面６２に表示する解析結果に必要なデータの要求を、仮想サーバ９１のアドレスに送信（アップロード）する（ステップＳ３８）。
【００５５】
仮想サーバ９１では、無線公衆電話回線網５経由で携帯電話回線事業者８のサーバ８１及びインターネット７を通じて受信した、携帯情報端末６からの解析結果のデータ要求に応じた内容の解析処理を行い（ステップＳ５３）、その結果に関するデータを携帯情報端末６に送信（ダウンロード）する（ステップＳ５４）。
【００５６】
続いて、図６のフローチャートに示すように、携帯情報端末６では、図７（ｂ）の解析結果表示画面６２の具体的な結果を表示する部分に、仮想サーバ９１からダウンロードされた解析結果のデータを反映させて、解析結果表示画面６２を更新する（ステップＳ３９）。そして、解析結果表示画面６２上のボタンのクリックによる入力を検出し（ステップＳ４０）、入力値（入力内容）の内容を判断する（ステップＳ４１）。
【００５７】
例えば、解析結果表示画面６２の更新ボタンがクリックされると（ステップＳ４１で「更新を押下」）、解析結果表示画面６２の解析結果を更新するためのデータ要求を、仮想サーバ９１のアドレスに送信（アップロード）する（ステップＳ４２）。
【００５８】
仮想サーバ９１では、受信した携帯情報端末６からの解析結果の更新用データの要求に応じた内容の解析処理を行い（ステップＳ５５）、その結果に関するデータを携帯情報端末６に送信（ダウンロード）する（ステップＳ５６）。
【００５９】
続いて、携帯情報端末６では、図７（ｂ）の解析結果表示画面６２の具体的な結果を表示する部分に、仮想サーバ９１からダウンロードされた解析結果の更新用データを反映させて、解析結果表示画面６２を更新する（ステップＳ４３）。そして、ステップＳ４０にリターンする。
【００６０】
また、解析結果表示画面６２上のボタンのクリックによる入力が行われた際に（ステップＳ４０）、解析結果表示画面６２の更新ボタン以外のボタン（条件ボタン、地図ボタン）がクリックされると（ステップＳ４１で「それ以外を押下」）、携帯情報端末６は、ディスプレイ６０の表示を、クリックされたボタンに対応する画面に切り替える（ステップＳ４４）。
【００６１】
例えば、解析結果表示画面６２の更新ボタン以外のボタンのうち、解析結果表示画面６２の「Ａ営業所」の部分がクリックされると、携帯情報端末６は、ディスプレイ６０の表示を図７（ｃ）の説明図に示す「Ａ営業所」の詳細画面６３に切り替える。そして、「Ａ営業所」の詳細画面６３の表示に必要なデータの要求を、仮想サーバ９１のアドレスに送信（アップロード）する（ステップＳ４５）。
【００６２】
仮想サーバ９１では、受信した携帯情報端末６からの要求に応じた、「Ａ営業所」の詳細な解析処理を行い（ステップＳ５７）、その結果に関するデータを携帯情報端末６に送信（ダウンロード）する（ステップＳ５８）。
【００６３】
続いて、携帯情報端末６では、図７（ｃ）の「Ａ営業所」の詳細画面６３に、仮想サーバ９１からダウンロードされたデータを反映させて、詳細画面６３を更新する（ステップＳ４６）。そして、ステップＳ４０にリターンする。
【００６４】
また、例えば、解析結果表示画面６２の更新ボタン以外のボタンのうち、解析結果表示画面６２の条件ボタンがクリックされると、携帯情報端末６は、ディスプレイ６０の表示を図８の説明図に示す検索条件入力画面６４に切り替える。一方、解析結果表示画面６２の地図ボタンがクリックされると、携帯情報端末６は、ディスプレイ６０の表示を不図示の地図画面に切り替える。そして、各画面の表示に必要なデータの要求を、仮想サーバ９１のアドレスに送信（アップロード）する（ステップＳ４５）。
【００６５】
仮想サーバ９１では、受信した携帯情報端末６からの要求に応じた、検索条件期間を設定するためのデータや地図データの抽出処理を行い（ステップＳ５７）、その結果に関するデータを携帯情報端末６に送信（ダウンロード）する（ステップＳ５８）。
【００６６】
続いて、携帯情報端末６では、図８の検索条件入力画面６４や不図示の地図画面に、仮想サーバ９１からダウンロードされたデータを反映させて、それらの画面を更新する（ステップＳ４６）。そして、ステップＳ４０にリターンする。
【００６７】
なお、例えば、図８の検索条件入力画面６４がディスプレイ６０に表示されている状態で、検索条件入力画面６４の決定ボタンがクリックされると（ステップＳ４１で「それ以外を押下」）、携帯情報端末６は、ディスプレイ６０の表示を図７（ｂ）の解析結果表示画面６２に切り替える（ステップＳ４４）。そして、解析結果表示画面６２に表示する解析結果の内容を、検索条件入力画面６４で入力された解析対象期間の解析結果に更新するためのデータ要求を、仮想サーバ９１のアドレスに送信（アップロード）する（ステップＳ４５）。
【００６８】
したがって、その後に携帯情報端末６では、図７（ｂ）の解析結果表示画面６２に、仮想サーバ９１からダウンロードされた、検索条件入力画面６４で入力された解析対象期間の解析結果のデータを反映させて、解析結果表示画面６２を更新する（ステップＳ４６）。そして、ステップＳ４０にリターンする。
【００６９】
また、ステップＳ４０による検出で、解析結果表示画面６２上のボタンのクリックによる入力が検出されない時間が一定時間経過すると（ステップＳ４１で「無応答時間」）、携帯情報端末６は、仮想サーバ９１からログアウトする（ステップＳ４７）。これにより、ディスプレイ６０の表示は、ＩＤとパスワードが入力される前の図７（ａ）の起動画面６１に切り替わる。そして、ステップＳ３２にリターンする。
【００７０】
以上の説明からも明らかなように、本実施形態では、仮想サーバ９１が行う図５のフローチャートにおけるステップＳ５３の処理が、請求項中の解析手段に対応する処理となっている。また、本実施形態では、仮想サーバ９１が行う図５中のステップＳ５４の処理が、請求項中の解析結果ダウンロードステップと解析結果ダウンロード手段とに対応する処理となっている。
【００７１】
さらに、本実施形態では、仮想サーバ９１が行う図６のフローチャートにおけるステップＳ５５及びステップＳ５７の処理が、請求項中の解析手段に対応する処理となっている。また、本実施形態では、仮想サーバ９１が行う図６中のステップＳ５６及びステップＳ５８の処理が、請求項中の解析結果ダウンロードステップと解析結果ダウンロード手段とに対応する処理となっている。
【００７２】
以上に説明したように、本実施形態によれば、タクシーメータが収集したタクシー車両１の営業時系列データを、例えばタクシー車両１の運行終了時に運行情報収集装置１０の通信モジュール１０３により無線公衆電話回線網５を介してインターネット７上の仮想サーバ９１にアップロードする。そして、アプリケーションプログラムを起動した携帯情報端末６から無線公衆電話回線網５を介して仮想サーバ９１に要求があると、要求された項目の解析結果のデータを、仮想サーバ９１がインターネット７から無線公衆電話回線網５を介して携帯情報端末６にダウンロードする。このダウンロードにより携帯情報端末６では、営業時系列データを仮想サーバ９１が解析することで得られるタクシー車両１の乗員に関する各種のチャートや営業日報、売上日報等を表示出力することができる。
【００７３】
このため、タクシーメータで収集した営業時系列データを取り込むことで解析できるソフトウェアをインストールした、固定設置のコンピュータがある場所でなくても、タクシーの営業管理等に用いる営業時系列データの解析結果を任意の場所で得ることができる。
【００７４】
なお、本実施形態では、仮想サーバ９１による営業時系列データの解析結果を携帯情報端末６で表示するためのアプリケーションプログラムを、仮想サーバ９１からダウンロードして携帯情報端末６にインストールできる構成について説明した。しかし、この構成は省略してもよい。
【００７５】
また、本実施形態では、車両管理者３側のパソコン３１からも、仮想サーバ９１による営業時系列データの解析結果を表示またはダウンロードできる構成について説明したが、この構成は省略してもよい。反対に、仮想サーバ９１にアクセス可能な固定設置のパソコン３１のみで、仮想サーバ９１による営業時系列データの解析結果を表示またはダウンロードできる構成として運用し、携帯情報端末６を用いない構成としてもよい。
【産業上の利用可能性】
【００７６】
本発明は、タクシーメータで収集されたタクシー車両の運行状態を示す営業時系列データを解析可能に管理する際に用いて好適である。
【符号の説明】
【００７７】
１  タクシー車両
３  車両管理者（遠隔地）
５  無線公衆電話回線網
６  携帯情報端末（インターネット端末）
７  インターネット
８  携帯電話回線事業者
９  アプリケーションサービスプロバイダ（タクシー運行管理システム）
１０  運行情報収集装置
１１  通信アンテナ
１２  ＧＰＳアンテナ
１３  ＥＴＣ車載器
１４  速度センサ
１５  エンジン回転センサ
１６  各種センサ
１７  外部機器（タクシーメータ）
１８  加速度センサ
３１  パーソナルコンピュータ（インターネット端末）
５１  接続センタ
６０  ディスプレイ
６１  起動画面
６２  解析結果表示画面
６３  詳細画面
６４  検索条件入力画面
７１，７３，７５  インターネットサービスプロバイダ
８１  サーバ
８３  データベース
９１  仮想サーバ（データベース化手段、解析手段、解析結果ダウンロード手段、プログラムダウンロード手段）
１０１  制御部（アップロード手段）
１０３  通信モジュール
１０５  ＧＰＳモジュール
１０７  表示部
１０９  不揮発性メモリ
１１１  外部インタフェース
１１３  速度インタフェース
１１５  回転インタフェース
１１７  デジタル５ｃｈ入力インタフェース
１１９  外部インタフェース
１２１  電源部
Ｂ  バッテリ（電源）
【図１】
2013171566.tif 000003
【図２】
2013171566.tif 000004
【図３】
2013171566.tif 000005
【図４】
2013171566.tif 000006
【図５】
2013171566.tif 000007
【図６】
2013171566.tif 000008
【図７】
2013171566.tif 000009
【図８】
2013171566.tif 000010